(57)【要約】【課題】押釦体が異常な外力により前進端位置からさらに押し込まれるような場合においても、スイッチ部を確実にオフ状態とすることができる信頼性の高い非常停止用押釦スイッチを提供すること。【解決手段】押釦体１５が元位置及び前進端位置で保持される状態のときには、ストッパーリング３０の一部を本体ケース１の一端側に設けた係止突起３に当接させることにより、スイッチ部１０側への同リングの移動を規制して常にはスイッチ部の開閉動作に支障のないように設け、押釦体１５が前進端位置からさらに押し込まれたときに、ストッパーリング３０は押釦体で押されて係止突起３を一旦乗り越えてから当該突起３にて後戻りを阻止され、かつ、可動接点２６を設けた導電片２５を該リング３０に当接させることにより、可動接点２６と固定接点１３とを開離させてスイッチ部１０をオフ状態に保持するように構成した。【選択図】  図３
2004234950.tif 000002
【特許請求の範囲】
【請求項１】
本体ケースの一端側に押釦体を同ケースの軸心方向に進退自在に設けると共に、複数の端子が配設された端子台をその他端側に着脱可能に設け、その本体ケースの一端側内方に、その押釦体が後退した元位置にて少なくとも一対の可動接点を固定接点に対して第１バネにより弾接させ、その押釦体が押し込まれてその前進端位置で保持された状態にて前記可動接点を固定接点から開離させるようにしたスイッチ部を設け、そのスイッチ部の固定接点から延びる固定端子片の先端部を前記端子台の端子に夫々圧接して導通可能に設け、さらに、前進端位置にて保持された前記押釦体を所定角度だけ回転させることにより同押釦体が第２バネによって元の後退位置に復帰するように構成された非常停止用押釦スイッチにおいて、
前記本体ケースの一端側の開口部内方に係合部又は係止部材を設け、前記押釦体が元位置及び前進端位置で保持される状態のときには、その開口部内方に遊嵌されたストッパーリングの一部を該係合部又は係止部材に当接させることにより、
前記スイッチ部側への同リングの移動を規制して常には当該スイッチ部の開閉動作に支障のないように設け、前記押釦体が異常な外力の作用により前進端位置からさらに押し込まれたときに、前記ストッパーリングは当該押釦体で押されて前記係合部又は係止部材を一旦乗り越えてから当該係合部又は係止部材にて後戻りを阻止され、かつ、前記可動接点が設けられた導電片を該リングに当接させることにより、前記可動接点と固定接点とを開離させて前記スイッチ部をオフ状態に保持するように構成したことを特徴とする非常停止用押釦スイッチ。
【発明の詳細な説明】
【０００１】
【発明の属する技術分野】
本発明は、各種自動機械やプレス装置等の安全運転のために使用される非常停止用押釦スイッチの改良に関する。
【０００２】
【従来の技術】
従来の非常停止用押釦スイッチの一例を図６に示す。この押釦スイッチＳは、押釦体ｆの軸杆ｇをプラスチック製本体ケースａの一端側の大径筒部ｂから挿入して同ケースの軸心方向に進退自在に設けると共に、押釦体ｆが押し込まれた前進位置にて、軸杆ｇの弾性変形可能な係止片ｈを他端側の小径筒部ｃの内方に設けた突部ｄに係合させることによりその位置を保持させ、かつ、押釦体ｆを一定角度だけ回転させることにより係止片ｈが突部ｄから外れて、当該押釦体ｆを復帰バネｅによって元の後退位置に復帰するように設けられている。
【０００３】
上記大径筒部ｂの内方には、押釦体ｆが後退した通常状態の位置にて、導電片ｎに設けられた一対の可動接点ｏを固定接点ｒに対して与圧バネｔにより夫々弾接させ、図７に示す押釦体ｆが前進端まで押し込まれる非常停止状態の場合に、導電片ｎが前進移動して可動接点ｏを固定接点ｒから開離させるように構成したスイッチ部ｍを設けている。また、上記小径筒部ｃ側には、固定接点ｒから延びる固定端子片ｐの先端部に挿入されて導通する複数の端子ｋが配設された端子台ｊを着脱可能に設けている。
【０００４】
なお、非常停止に用いられる押釦スイッチに関するものが、特開平９−５０７３０号公報に記載されている。
【０００５】
【発明が解決しようとする課題】
前記非常停止用押釦スイッチＳは、プレス装置等の機械の運転中に何らかの非常事態が発生した場合に、作業者が手で前記押釦体ｆを押すことにより運転を直ちに停止させる目的のために使用される電気部品である。ところが、非常事態が発生した場合に、作業者が手元のハンマーやスパナ等の工具で押釦体ｆを思いっきり叩いてしまう結果、押釦体ｆを損傷したり破壊してしまうことがあった（図８、図９）。また、工場内を走行するフォークリフトが非常停止用押釦スイッチＳに接触・衝突することがあり、その際に生ずる衝撃力によって押釦体ｆが損傷したり破壊することもある。例えば、図９に示すように、そのような原因により押釦体ｆの軸杆ｇが破壊されたとすると、瞬間的にオフ状態（図８）となったスイッチ部ｍが、与圧バネｔの弾力により再びオン状態（回路は閉）となってしまうために、非常停止機能を発揮しなくなるという不都合を生ずる。
【０００６】
この発明の目的は、スイッチ部の開閉動作を行うための押釦体が異常な外力により前進端位置からさらに押し込まれるような場合においても、スイッチ部を確実にオフ状態とすることができる信頼性の高い非常停止用押釦スイッチを提供することにある。
【０００７】
【課題を解決するための手段】
前記目的を達成するために本発明は、本体ケースの一端側に押釦体を同ケースの軸心方向に進退自在に設けると共に、複数の端子が配設された端子台をその他端側に着脱可能に設け、その本体ケースの一端側内方に、その押釦体が後退した元位置にて少なくとも一対の可動接点を固定接点に対して第１バネにより弾接させ、その押釦体が押し込まれてその前進端位置で保持された状態にて前記可動接点を固定接点から開離させるようにしたスイッチ部を設け、そのスイッチ部の固定接点から延びる固定端子片の先端部を前記端子台の端子に夫々圧接して導通可能に設け、さらに、前進端位置にて保持された前記押釦体を所定角度だけ回転させることにより同押釦体が第２バネによって元の後退位置に復帰するように構成された非常停止用押釦スイッチにおいて、
前記本体ケースの一端側の開口部内方に係合部又は係止部材を設け、前記押釦体が元位置及び前進端位置で保持される状態のときには、その開口部内方に遊嵌されたストッパーリングの一部を該係合部又は係止部材に当接させることにより、
前記スイッチ部側への同リングの移動を規制して常には当該スイッチ部の開閉動作に支障のないように設け、前記押釦体が異常な外力の作用により前進端位置からさらに押し込まれたときに、前記ストッパーリングは当該押釦体で押されて前記係合部又は係止部材を一旦乗り越えてから当該係合部又は係止部材にて後戻りを阻止され、かつ、前記可動接点が設けられた導電片を該リングに当接させることにより、前記可動接点と固定接点とを開離させて前記スイッチ部をオフ状態に保持するように構成したことを特徴とするものである。
【０００８】
【発明の作用及び効果】
（１）押釦スイッチの押釦体が後退した通常状態の元位置においては、可動接点と固定接点とが第１バネの弾発力により接触しているので、スイッチ部の接点は「閉」の状態となる。
（２）他方、押釦体が押し込まれて前進端位置で保持される非常停止の状態においては、当該押釦体の軸部にて第１バネの弾発力に打ち勝って導電片を下降させるので、可動接点が固定接点から開離してスイッチ部の接点は「開」の状態となる。
（３）押釦体が（１）及び（２）の状態にあるときには、ストッパーリングの周縁部が係合部（又は係止部材）に当接して同リングのスイッチ部側への移動を規制されるので、常にはスイッチ部の開閉動作に支障を生じない。
（４）押釦体がハンマー等の工具で叩かれるなどの要因により異常な外力の作用により前進端位置からさらに押し込まれた場合には、ストッパーリングは当該押釦体で押されてその周縁部が係合部を一旦乗り越えてから当該係合部にて後戻りを阻止され、かつ、導電片がストッパーリングに当接して可動接点と固定接点とを開離させるので、スイッチ部はオフ状態となる。仮に、そのような原因により押釦体の軸部が破壊されたとしても、オフ状態となったスイッチ部がオン状態となることなく、確実にオフ状態を保持することができる。
【０００９】
なお、前進端位置にある押釦体を一定角度だけ回転させることにより、同押釦体は第２バネの弾発力によって元の後退位置に復帰する。
【００１０】
また、端子台を本体ケースから外した場合、同端子台の端子は固定端子片の先端部から離脱し、スイッチ部の接点が「閉」の状態となっていても、スイッチ部と端子間の導電回路は遮断される。
【００１１】
この非常停止用押釦スイッチは、スイッチ部の開閉動作を行うための押釦体が異常な外力により前進端位置からさらに押し込まれるような場合においても、スイッチ部を確実にオフ状態に保持することができ、信頼性及び安全性に優れている。
【００１２】
【発明の実施の形態】
以下に、本発明の実施の形態例を図面に基づいて説明する。図１は非常停止用押釦スイッチの縦断側面図、図２は非常停止状態になる瞬間の状況を示す押釦スイッチの説明図、図３は押釦体がハンマーで叩かれて前進端位置からさらに押し込まれた状態を示す押釦スイッチの説明図、図４は押釦体がハンマーで叩かれて軸部が破断しても、スイッチ部はオフ状態に保持されることを示す押釦スイッチの説明図、図５は係止突起部分の拡大図である。
【００１３】
図１において、非常停止用押釦スイッチＡのプラスチック製本体ケース１は、一端側の大径筒部２の開口部内方２ａに係合部又は係止部材としての係止突起３を周設し、他端側の小径筒部５の外面にネジ６を形成すると共にその内面に一対の突部７，７を対向状に形成している。８は上記小径筒部５のネジ６に螺合された取付用ナットである。
【００１４】
その大径筒部２の内部には、スイッチ部１０を構成する固定接点１３が内方に向けて設けられた少なくとも一対の固定端子片１１，１１を適宜間隔を置いて対向状に配置し、それらの固定端子片１１，１１の先端部１２，１２を小径筒部５内で本体ケース１の軸心方向に平行に配置する。
【００１５】
１５は本体ケース１の軸心方向に進退自在とされるプラスチック製の押釦体である。この押釦体１５は、傘形頭部１６の中心部に軸部１７を一体に形成し、その頭部１６を上記大径筒部２の外面に遊嵌するように設けられている。その軸部１７のほぼ中間に形成された横穴１８には、少なくとも一対の可動接点２６，２６が形成された平板形状の導電片２５を当該軸部１７に交差するように遊嵌し、その導電片２５と横穴１８の奥端１８ａ間に介装された第１バネ２７により、それら可動接点２６，２６を前記固定接点１３，１３に夫々弾接させるように設けられている。上記頭部１６の内面には、前記軸部１７と同方向に所定寸法だけ突出する突き当て片１９を設ける。
【００１６】
前記軸部１７の先端には、一対の突片２０，２０を横方向に形成すると共にやや深い孔２１を中心部に設けている。その突片２０の内端寄りの軸部１７には、径方向に弾性変形可能な一対の係止片２２，２２を前記頭部１６に向かって自由端側が開くように一体に形成する。２８は孔２１に一端を収めると共に他端を小径筒部５の隔板５ａにあてがうように介装された第２バネである。しかして、突片２０，２０を第２バネ２８の弾発力により前記突部７の奥端面７ａに当接させることにより、押釦体１５が後退した位置に保持されるように設ける（図１）。また、図２に示すように、押釦体１５を前進端位置まで押し込んだ状態では、係止片２２，２２の端面２２ａ，２２ａを前記突部７の奥端面７ａに当接させることにより、その位置に当該押釦体１５が保持されるように設ける。
【００１７】
しかして、押釦体１５が後退した通常状態の元位置では、可動接点２６，２６を固定接点１３，１３に対して第１バネ２７により弾接させるようになし、他方、押釦体１５が前進端位置まで押し込まれた非常停止の状態では、軸部１７によって導電片２５を下降させることにより可動接点２６，２６を固定接点１３，１３から開離させるように設けられたスイッチ部１０が構成される。
【００１８】
また、押釦体１５は前進端位置で保持された状態において一定角度、ここでは６０度だけ右方向に回転操作させることにより、突片２０及び係止片２２が突部７から外れて第２バネ２８の弾発力によって元の後退位置に復帰するように設けられている。
【００１９】
３０は中心部に透孔３２を設けた所定寸法の高さのボス３１が一体に形成されたプラスチック製ストッパーリングである。このストッパーリング３０は、押釦体１５の軸部１７に透孔３２を嵌められた状態にて大径筒部２の開口部内方２ａに遊嵌され、その周縁部３０ａを前記係止突起３の斜面３ａに当接させてスイッチ部１０側への移動を規制させることにより、常にはスイッチ部１０の開閉動作に支障のないように設けられている。
【００２０】
また、押釦体１５が前進端位置まで押し込まれた非常停止の状態においては、押釦体１５の突き当て片１９によりストッパーリング３０を僅かに押し下げるように設けると共に、その突き当て片１９の先端が前記導電片２５に当接しないように設けるものとする。
【００２１】
３５は複数の端子３６が適宜配設されたプラスチック製端子台である。この端子台３５は、前記本体ケース１の小径筒部５に挿入されたときに、その先端外周に形成した図示しない係止段部を、小径筒部５に設けられた図示しない舌片に夫々係合させることにより固定されている。図１に示すように、この端子台３５が本体ケース１に取り付けられた状態では、スイッチ部１０の固定端子片１１の先端部１２にバネ性を有する接触片３７が挿入されるようになし、両者は圧接された状態にて通電可能に設けられている。３８は各端子３６に螺合された配線接続用ネジ、３９は端子台３５に被着するキャップである。
【００２２】
以上により、スイッチ部１０を本体ケース１の大径筒部２の内方に配置した非常停止用押釦スイッチＡが構成される。この押釦スイッチＡは、図１に示すように、操作盤等のパネルｗに設けた孔に本体ケース１の小径筒部５を挿入してから、ネジ６に取付用ナットナット８を螺合することにより取り付けられる。
【００２３】
つぎに、本発明の非常停止用押釦スイッチＡの作動及び操作について、図面に基づき説明する。
（１）図１に示すように、押釦スイッチＡの押釦体１５が後退した通常状態の元位置においては、可動接点２６，２６と固定接点１３，１３とが第１バネ２７の弾発力により接触しているので、スイッチ部１０の接点は「閉」の状態となる。
（２）他方、押釦体１５が押し込まれて前進端位置で保持される非常停止の状態においては、図２に示すように、当該押釦体１５の軸部１７にて第１バネ２７の弾発力に打ち勝って導電片２５を下降させるので、可動接点２６，２６が固定接点１３，１３から開離してスイッチ部１０の接点は「開」の状態となる。
（３）押釦体１５が（１）及び（２）の状態にあるときには、ストッパーリング３０の周縁部３０ａが係止突起３の斜面３ａに当接して同リング３０のスイッチ部１０側への移動を規制されるため、常にはスイッチ部１０の開閉動作に支障はない。
（４）図３に示すように、（１）の状態にある押釦スイッチＡの押釦体１５がハンマー等の工具ｘで叩かれるなどの要因により異常な外力により前進端位置からさらに押し込まれた場合には、ストッパーリング３０は押釦体１５の突き当て片１９で押されてその周縁部が係止突起３の斜面３ａ（図５）を一旦乗り越えてから当該係止突起３の奥端部３ｂにて後戻りを阻止され、かつ、導電片２５がストッパーリング３０のボス３１の端面３１ａに当接して可動接点２６，２６と固定接点１３，１３とを開離させるので、スイッチ部１０はオフ状態に保持される。
（５）図４に示すように、仮に、そのような原因により押釦体１５の軸部１７が破壊されたとしても、一旦オフ状態となったスイッチ部１０が再びオン状態となることはなく、確実にオフ状態を保持することができる。
【００２４】
以上の通り、この非常停止用押釦スイッチは、スイッチ部の開閉動作を行うための押釦体が異常な外力により前進端位置からさらに押し込まれるような場合においても、スイッチ部を確実にオフ状態に保持することができ、信頼性及び安全性に優れている。
【図面の簡単な説明】
【図１】本発明の非常停止用押釦スイッチの縦断側面図
【図２】非常停止状態になる瞬間の状況を示す押釦スイッチの説明図
【図３】押釦体がハンマーで叩かれて前進端位置からさらに押し込まれた状態を示す押釦スイッチの説明図
【図４】押釦体がハンマーで叩かれて軸部が破断しても、スイッチ部はオフ状態に保持されることを示す押釦スイッチの説明図
【図５】係止突起部分の拡大図
【図６】従来の非常停止用押釦スイッチの縦断側面図
【図７】非常停止状態になる瞬間の状況を示す従来の押釦スイッチの説明図
【図８】押釦体がハンマーで叩かれて前進端位置からさらに押し込まれた状態を示す従来の押釦スイッチの説明図
【図９】押釦体をハンマーで叩いたために軸杆が破断してスイッチ部がオン状態となることを示す従来の押釦スイッチの説明図
【符号の説明】
Ａ・・・押釦スイッチ
１・・・本体ケース
２・・・大径筒部（一端側）
３・・・係止突起（係合部又は係止部材）
５・・・小径筒部（他端側）
１０・・・スイッチ部
１１・・・固定端子片
１３・・・固定接点
１５・・・押釦体
１７・・・軸部
１９・・・突き当て片
２０・・・突片
２２・・・係止片
２５・・・導電片
２６・・・可動接点
２７・・・第１バネ
２８・・・第２バネ
３０・・・ストッパーリング
３０ａ・・・周縁部
３５・・・端子台
３６・・・端子
【図１】
2004234950.tif 000003
【図２】
2004234950.tif 000004
【図３】
2004234950.tif 000005
【図４】
2004234950.tif 000006
【図５】
2004234950.tif 000007
【図６】
2004234950.tif 000008
【図７】
2004234950.tif 000009
【図８】
2004234950.tif 000010
【図９】
2004234950.tif 000011